(57)【要約】【課題】卓上に設置した卓上機器が占有した空間を、卓上機器の使用以外に利用できる空間を作る設置構造を実現する。【解決手段】卓上機器と前記卓上機器と係合する複数の同一形状のスタンド部材からなる卓上機器の設置構造であって、前記複数のスタンド部材は前記卓上機器底面に回転自在に係合され、係合された前記複数のスタンド部材を前記卓上機器底面から張り出すことにより、前記卓上機器底面と前記卓上機器を設置する面が接触していた状態から前記卓上機器底面を離すことにより、前記卓上機器底面と前記卓上機器を設置する面の間に空間を形成させる。【選択図】図１
2015137755.tif 000002
【特許請求の範囲】
【請求項１】
所定の卓上機器を中空設置する、前記卓上機器の筐体と前記筐体に装着される複数のスタンド部材から成る設置構造であって
前記スタンド部材の各々は、前記卓上機器を卓上の所定の高さに設置する所定の長さ、および前記筐体の底面の所定の部位に形成された複数の凹部構造のいずれかに収納される形状を有し、
前記筐体の底面に設けられた前記凹部構造の各々は、前記スタンド部材を回転自在に保持する保持構造を有し、
前記保持構造における前記スタンド部材の回転角度は、前記筐体の底面と前記スタンド部材の長さ方向のなす角が略０度から９０度＋α（＜９０度）であって、前記９０度＋αの角度で前記卓上機器を支える構造であることを特徴とする卓上機器の中空設置構造。
【発明の詳細な説明】
【技術分野】
【０００１】
本発明は、卓上で使用する卓上機器の設置構造に関する。
【背景技術】
【０００２】
従来の卓上機器の設置構造は、卓上機器の底面の面積と同等以上の卓側設置面積が必要であった。これを改善する技術として、卓側設置面積を低減するために卓上機器を斜めに設置する卓上機器の筐体底部およびスタンドに係る設置構造がある（例えば、特許文献１）。
【先行技術文献】
【特許文献】
【０００３】
【特許文献１】特開２００９−２４６５４１号公報
【発明の概要】
【発明が解決しようとする課題】
【０００４】
しかしながら、特許文献１に記載された技術は、卓側設置面積を低減できる効果はあるものの、その設置面積自体は卓上機器に占有され、他の用途に供することは出来ない。
【０００５】
そこで、本発明の課題は、卓上機器を卓上に設置した際に卓上の卓上機器が占有する空間を卓上機器の使用以外にも利用可能な設置構造を提供することにある。
【課題を解決するための手段】
【０００６】
本発明は、所定の卓上機器を中空設置する、前記卓上機器の筐体と前記筐体に装着される複数のスタンド部材から成る設置構造であって前記スタンド部材の各々は、前記卓上機器を卓上の所定の高さに設置する所定の長さ、および前記筐体の底面の所定の部位に形成された複数の凹部構造のいずれかに収納される形状を有し、前記筐体の底面に設けられた前記凹部構造の各々は、前記スタンド部材を回転自在に保持する保持構造を有し、前記保持構造における前記スタンド部材の回転角度は、前記筐体の底面と前記スタンド部材の長さ方向のなす角が略０度から９０度＋α（＜９０度）であって、前記９０度＋αの角度で前記卓上機器を支える構造であることを特徴とする。
【発明の効果】
【０００７】
本発明によれば、上述の卓上機器の設置構造よりも卓上の卓上機器が占有する空間を卓上機器の使用以外に利用でき、卓上の空間をより有効に利用できる設置構造を提供できる。
【図面の簡単な説明】
【０００８】
【図１】本発明の設置構造を有するスタンド及び卓上機器の構成を示す斜視図
【図２】スタンドの斜視図
【図３ａ】卓上機器の斜視図
【図３ｂ】卓上機器のスタンド係合部詳細図
【図４ａ】スタンドと卓上機器が組み合わされた図
【図４ｂ】卓上機器の設置構造の変更を示す詳細図
【発明を実施するための形態】
【０００９】
図１は、本発明の設置構造を有するスタンド及び卓上機器の構成を示す斜視図である。本実施例における筐体は、スタンド１１と、スタンド１１が接続される卓上機器２１から構成される。卓上機器２１の底面（以下、卓上機器底面と呼称）を設置面から離し、卓上機器２１と設置面の間に空間を作成する。卓上機器２１とスタンド１１の設置構造については後述する。
【００１０】
図２は、スタンド１１の斜視図である。スタンド１１には後述する卓上機器２１と回転自在に係合する円柱突起１２がスタンド１１の両側面に一対設けられている。また、スタンド１１には、矩形突起１３が設けられている。
【００１１】
図３ａは、卓上機器２１の斜視図である。また図３ｂは、卓上機器２１のスタンド係合部詳細図である。卓上機器２１は、卓上機器２１の底面四隅にスタンド１１に一対設けられた円柱突起１２と回転自在に係合する係合孔２２が設けられている。また卓上機器２１は、卓上機器２１の収納溝２４にはスタンド１１に設けられた矩形突起１３が嵌合する嵌合孔２３が設けられている。
【００１２】
図４ａは、スタンド１１と卓上機器２１が組合された図である。また図４ｂは、卓上機器２１の設置構造の変更を示す詳細図である。卓上機器底面に収納されたスタンド１１を、円柱突起１２を軸として筐体下方へ回転することによって、卓上機器底面より露出させる。次にスタンド１１に設けられた矩形突起１３を卓上機器に設けられた嵌合孔２３に挿入し、強嵌合させることにより、卓上機器２１が持ち上げられた際にスタンド１１の自重でスタンド１１と卓上機器２１との係合が解除されることを防ぎ、スタンド１１が卓上機器２１から張り出した状態を維持することで卓上機器２１が卓上に設置される際の倒れこみを防止し、設置構造を維持できる。尚、本発明においてスタンド部材と卓上機器との嵌合はスタンド部材に設けられた突起と卓上機器に設けられた嵌合孔による強嵌合で実現しているが、反対にスタンド部材に嵌合孔、卓上機器に突起を設けても実施可能であり、また強嵌合である必要は必ずしも無く例えば磁石や面ファスナーを用いてもスタンド部材と卓上機器との嵌合は実施可能である。
【００１３】
以上、本実施例の発明について説明した。
【００１４】
本実施例では、卓上機器２１に設けられた係合孔２２とスタンド１１の円柱突起１２が回転自在に係合し、スタンド１１を卓上機器２１より一軸によって回転させ卓上機器２１から張り出し、卓上機器２１底面と設置面の間に空間を設けることを実現できる。
【００１５】
また、卓上機器の筐体に中空設置構造を設けることにより、新たに卓上に高足のテーブルを用意する必要もなく、省スペース化を実現できる。
【００１６】
また、本実施例では、卓上機器２１に設けられたスタンド１１のいずれかを張り出さずにおくことで、卓上機器２１の設置角度を変更することができ、卓上機器２１の前方に設けられたスタンド１１を張り出さず、後方のスタンド１１のみを張り出した場合には、設置面と操作面からなる角度が変更され、操作面が使用者に対して正面に近づくことで、視認性を向上させることが出来る。
【００１７】
また、本実施例では、設置面と卓上機器２１の底面とからなる高さをスタンド１１の長さによって決定しているが、スタンド１１の底面（設置面と接する面）に係合する新たなスタンド部材を面ファスナーによる接着やネジ構造による接合、またはスナップフィット爪による接合などによって連結することで、設置面と卓上機器２１の底面とからなる高さを拡大することもできる。さらに、新たなスタンドが連結されたスタンド１１は、いずれかの連結数を変えることにより、支持するスタンド１１間で高さに違いを持たせることで生じる卓上機器２１の傾きを利用し、卓上機器２１の操作面を使用者の視線の正面に近づけ視認性を向上させることが出来る。
【００１８】
また、本実施例では卓上機器２１とスタンド１１の係合を凹凸による嵌合や圧入で行っているが、係合を面ファスナーやネジ構造、またはスナップフィット爪などによる係合でも実施可能である。
【符号の説明】
【００１９】
１１  スタンド
１２  円柱突起
１３  矩形突起
２１  卓上機器
２２  係合孔
２３  嵌合孔
２４  収納溝
【図１】
2015137755.tif 000003
【図２】
2015137755.tif 000004
【図３ａ】
2015137755.tif 000005
【図３ｂ】
2015137755.tif 000006
【図４ａ】
2015137755.tif 000007
【図４ｂ】
2015137755.tif 000008